(57)【要約】【課題】表示ユニットが表示している表示データの閲覧が許可されていない場合に閲覧防止カバーが取り外されたときに、表示ユニットが表示している表示データを自動的に消去する。【解決手段】本発明に係る閲覧管理システムは、電力が供給されていない状態で表示データを視認可能に表示する表示部と、表示部が表示している表示データの閲覧を防止すべく表示部を覆う閲覧防止カバーと、表示部から閲覧防止カバーが取り外されたことを検知する取り外し検知部と、表示部が表示している表示データの閲覧を許可する情報である閲覧許可情報を取得する閲覧許可情報取得部と、閲覧許可情報取得部が閲覧許可情報を取得する前に、取り外し検知部において閲覧防止カバーが取り外されたことを検知した場合に、表示部が表示している表示データを消去させる消去制御部とを備える。【選択図】図２
2007316342.tif 000002
【特許請求の範囲】
【請求項１】
電力が供給されていない状態で表示データを視認可能に表示する表示部と、
前記表示部が表示している表示データの閲覧を防止すべく前記表示部を覆う閲覧防止カバーと、
前記表示部から前記閲覧防止カバーが取り外されたことを検知する取り外し検知部と、
前記表示部が表示している表示データの閲覧を許可する情報である閲覧許可情報を取得する閲覧許可情報取得部と、
前記閲覧許可情報取得部が閲覧許可情報を取得する前に、前記取り外し検知部において前記閲覧防止カバーが取り外されたことを検知した場合に、前記表示部が表示している表示データを消去させる消去制御部と
を備える閲覧管理システム。
【請求項２】
前記閲覧防止カバーは、前記表示部を内包して前記表示部が表示している表示データの閲覧を防止する袋形状であり、
前記取り外し検知部は、前記閲覧防止カバーの所定の位置に配置された配線が切断されたことを検知することにより、前記表示部から前記閲覧防止カバーが取り外されたことを検知し、
前記消去制御部は、前記閲覧許可情報取得部が閲覧許可情報を取得する前に、前記配線が切断された場合に、前記表示部が表示している表示データを消去させる
請求項１に記載の閲覧管理システム。
【請求項３】
前記表示部が表示している表示データの閲覧が許可されているユーザを識別する識別データをユーザに対応づけて格納する識別データ格納部と、
ユーザに識別データを入力させる識別データ入力部と、
前記識別データ入力部が入力した識別データが、前記識別データ格納部がユーザに対応づけて格納している識別データと同一の場合に認証情報を出力する認証部と
をさらに備え、
前記閲覧許可情報取得部は、前記認証部が出力した認証情報を閲覧許可情報として取得し、
前記消去制御部は、前記閲覧許可情報取得部が認証情報を取得する前に、前記取り外し検知部において前記閲覧防止カバーが取り外されたことを検知した場合に、前記表示部が表示している表示データを消去させる
請求項１に記載の閲覧管理システム。
【請求項４】
前記表示部に配置された、予め定められた識別信号を発信する信号発信部と、
前記閲覧防止カバーに配置された、前記信号発信部が発信した識別信号を受信する信号受信部と、
前記信号受信部が受信した識別信号の受信強度から、前記閲覧防止カバーから前記表示部までの距離を算出する距離算出部と、
前記距離算出部が算出した距離が、予め定められた距離以下の場合に距離情報を出力する距離判断部と
をさらに備え、
前記閲覧許可情報取得部は、前記距離判断部が出力した距離情報を閲覧許可情報として取得し、
前記消去制御部は、前記閲覧許可情報取得部が距離情報を取得する前に、前記取り外し検知部において前記閲覧防止カバーが取り外されたことを検知した場合に、前記表示部が表示している表示データを消去させる
請求項１に記載の閲覧管理システム。
【請求項５】
前記表示部の近傍に配置されて照射される光量を検出する光センサ
をさらに備え、
前記取り外し検知部は、前記光センサが予め定められた光量以上の光量を検出した場合に、前記表示部から前記閲覧防止カバーが取り外されたことを検知する
請求項１に記載の閲覧管理システム。
【請求項６】
照射された光エネルギーを電力に変換する電力発生部
をさらに備え、
前記消去制御部は、前記電力発生部が変換した電力を用いて、前記表示部が表示している表示データを消去させる
請求項１に記載の閲覧管理システム。
【請求項７】
電力が供給されていない状態で表示データを視認可能に表示する表示部から、表示データの閲覧を防止すべく前記表示部を覆う閲覧防止カバーが取り外されたことを検知する取り外し検知段階と、
前記表示部が表示している表示データの閲覧を許可する情報である閲覧許可情報を取得する閲覧許可情報取得段階と、
前記閲覧許可情報取得段階において閲覧許可情報が取得される前に、前記取り外し検知段階において前記閲覧防止カバーが取り外されたことを検知した場合に、前記表示部が表示している表示データを消去させる消去制御段階と
を備える閲覧管理方法。
【請求項８】
電力が供給されていない状態で表示データを視認可能に表示する表示部と、
前記表示部が表示している表示データの閲覧を防止すべく前記表示部を覆う閲覧防止カバーと
を備える閲覧管理システム用の閲覧管理プログラムであって、前記閲覧管理システムを、
前記表示部から前記閲覧防止カバーが取り外されたことを検知する取り外し検知部、
前記表示部が表示している表示データの閲覧を許可する情報である閲覧許可情報を取得する閲覧許可情報取得部、および
前記閲覧許可情報取得部が閲覧許可情報を取得する前に、前記取り外し検知部において前記閲覧防止カバーが取り外されたことを検知した場合に、前記表示部が表示している表示データを消去させる消去制御部
として機能させる閲覧管理プログラム。
【発明の詳細な説明】
【技術分野】
【０００１】
本発明は、閲覧管理システム、閲覧管理方法、および閲覧管理プログラムに関する。特に、本発明は、表示領域を覆う閲覧防止カバーが所定の手順で取り外されなかった場合に表示データを消去する閲覧管理システム、閲覧管理方法、および閲覧管理プログラムに関する。
【背景技術】
【０００２】
電子ペーパに、電子ペーパが表示している表示データを消去する消去専用ボタンを設け、消去専用ボタンをオンにして表示データを消去する表示媒体管理装置について提案されている（例えば、特許文献１参照。）。また、複数のデータ信号線のそれぞれと交差する複数の操作信号線を設け、複数の操作信号線を同時に選択することにより、全てのデータ信号に同時に同一のデータ信号を供給して、表示領域の表示データを同時に消去する表示装置について提案されている（例えば、特許文献２参照。）。さらに、電子ペーパが所定の領域から持ち出されたことを検知した場合に、電子ペーパが表示している表示データを消去するデータ保護装置について提案されている（例えば、特許文献３参照。）。
【特許文献１】特開２００４−２５８６０８号公報
【特許文献２】特開２００５−１４８７１１号公報
【特許文献３】特開２００４−７８８０８号公報
【発明の開示】
【発明が解決しようとする課題】
【０００３】
しかしながら、特許文献１に記載の発明においては、電子ペーパに表示されている表示データを消去する場合には、ユーザが消去専用ボタンを操作しなければならない。したがって、ユーザが消去専用ボタンを操作し忘れた場合には、電子ペーパに表示されている表示データがユーザの意思にかかわらず、第三者の目に触れる場合がある。また、特許文献２に記載の発明においても、表示装置に表示されている表示データを消去する場合には、ユーザが電気泳動表示装置を操作しなければならないので、ユーザが表示装置の操作を忘れた場合には、表示データがユーザの意思にかかわらず、第三者の目に触れる場合がある。さらに、特許文献３に記載の発明においては、所定の領域外において電子ペーパに表示されている表示データを参照することができない場合があり、持ち運びに便利な電子ペーパの利便性が十分に発揮できない場合がある。
【０００４】
そこで本発明は、上記課題を解決することができる閲覧管理システム、閲覧管理方法、および閲覧管理プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、閲覧管理システムであって、電力が供給されていない状態で表示データを視認可能に表示する表示部と、表示部が表示している表示データの閲覧を防止すべく表示部を覆う閲覧防止カバーと、表示部から閲覧防止カバーが取り外されたことを検知する取り外し検知部と、表示部が表示している表示データの閲覧を許可する情報である閲覧許可情報を取得する閲覧許可情報取得部と、閲覧許可情報取得部が閲覧許可情報を取得する前に、取り外し検知部において閲覧防止カバーが取り外されたことを検知した場合に、表示部が表示している表示データを消去させる消去制御部とを備える。
【０００６】
また、閲覧防止カバーは、表示部を内包して表示部が表示している表示データの閲覧を防止する袋形状であり、取り外し検知部は、閲覧防止カバーの所定の位置に配置された配線が切断されたことを検知することにより、表示部から閲覧防止カバーが取り外されたことを検知し、消去制御部は、閲覧許可情報取得部が閲覧許可情報を取得する前に、配線が切断された場合に、表示部が表示している表示データを消去してもよい。さらに、表示部が表示している表示データの閲覧が許可されているユーザを識別する識別データをユーザに対応づけて格納する識別データ格納部と、ユーザに識別データを入力させる識別データ入力部と、識別データ入力部が入力した識別データが、識別データ格納部がユーザに対応づけて格納している識別データと同一の場合に認証情報を出力する認証部とを備え、閲覧許可情報取得部は、認証部が出力した認証情報を閲覧許可情報として取得し、消去制御部は、閲覧許可情報取得部が認証情報を取得する前に、取り外し検知部において閲覧防止カバーが取り外されたことを検知した場合に、表示部が表示している表示データを消去させてもよい。
【０００７】
また、表示部に配置された、予め定められた識別信号を発信する信号発信部と、閲覧防止カバーに配置された、信号発信部が発信した識別信号を受信する信号受信部と、信号受信部が受信した識別信号の受信強度から、閲覧防止カバーから表示部までの距離を算出する距離算出部と、距離算出部が算出した距離が、予め定められた距離以下の場合に距離情報を出力する距離判断部とをさらに備え、閲覧許可情報取得部は、距離判断部が出力した距離情報を閲覧許可情報として取得し、消去制御部は、閲覧許可情報取得部が距離情報を取得する前に、取り外し検知部において閲覧防止カバーが取り外されたことを検知した場合に、表示部が表示している表示データを消去させてもよい。また、表示部の近傍に配置されて照射される光量を検出する光センサをさらに備え、取り外し検知部は、光センサが予め定められた光量以上の光量を検出した場合に、表示部から閲覧防止カバーが取り外されたことを検知してもよい。さらに、照射された光エネルギーを電力に変換する電力発生部を備え、消去制御部は、電力発生部が変換した電力を用いて、表示部が表示している表示データを消去させてもよい。
【０００８】
また、本発明の第２の形態においては、閲覧管理方法であって、電力が供給されていない状態で表示データを視認可能に表示する表示部から、表示データの閲覧を防止すべく表示部を覆う閲覧防止カバーが取り外されたことを検知する取り外し検知段階と、表示部が表示している表示データの閲覧を許可する情報である閲覧許可情報を取得する閲覧許可情報取得段階と、閲覧許可情報取得段階において閲覧許可情報が取得される前に、取り外し検知段階において閲覧防止カバーが取り外されたことを検知した場合に、表示部が表示している表示データを消去させる消去制御段階とを備える。
【０００９】
また、本発明の第３の形態においては、電力が供給されていない状態で表示データを視認可能に表示する表示部と、表示部が表示している表示データの閲覧を防止すべく表示部を覆う閲覧防止カバーとを備える閲覧管理システム用の閲覧管理プログラムであって、閲覧管理システムを、表示部から閲覧防止カバーが取り外されたことを検知する取り外し検知部、表示部が表示している表示データの閲覧を許可する情報である閲覧許可情報を取得する閲覧許可情報取得部、および閲覧許可情報取得部が閲覧許可情報を取得する前に、取り外し検知部において閲覧防止カバーが取り外されたことを検知した場合に、表示部が表示している表示データを消去させる消去制御部として機能させる。
【００１０】
なお、上記の発明の概要は、本発明の必要な特徴の全てを列挙したものではなく、これらの特徴群のサブコンビネーションもまた、発明となりうる。
【発明の効果】
【００１１】
本発明によれば、表示データの閲覧が許可されていない場合に表示領域を覆っている閲覧防止カバーが取り外されたときに、表示領域に表示されている表示データを自動的に消去することができる。
【発明を実施するための最良の形態】
【００１２】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１３】
図１は、本発明の一実施形態に係る閲覧管理システム１０の概要を示す。閲覧管理システム１０は、表示ユニット２０、および閲覧防止カバー３０を備える。また、閲覧防止カバー３０は配線４０を有する。本実施形態に係る閲覧管理システム１０は、予め定められた手順以外の手順で閲覧防止カバー３０が取り外されたときに、表示ユニット２０が表示している表示データを自動的に消去することを目的とする。なお、予め定められた手順とは、例えば、ユーザが閲覧防止カバー３０にパスワードを入力した後に、閲覧防止カバー３０を表示ユニット２０から取り外すという手順、または、閲覧防止カバー３０を表示ユニット２０から取り外すことが許可されている場所において、閲覧防止カバー３０を表示ユニット２０から取り外すという手順、若しくは閲覧防止カバー３０ユーザが閲覧防止カバー３０にパスワードを入力した後に、閲覧防止カバー３０を切断して表示ユニット２０を取り出すという手順等であってよい。
【００１４】
閲覧防止カバー３０は、表示ユニット２０を内包して表示ユニット２０が有する表示部２１０に表示されている表示データの閲覧を防止する袋形状、例えば、封筒状の形状であってよい。ユーザが所定の表示データを表示している表示ユニット２０を閲覧防止カバー３０に入れて、閲覧防止カバー３０の入り口を閉じると、閲覧防止カバー３０に配置されている配線４０がクローズとなる。配線４０は、閲覧防止カバー３０が袋形状である場合には、袋の入り口が閉じられたときにクローズとなる位置に配置されていてよい。例えば、閲覧防止カバー３０のふたが閉じられた場合に、袋のふた部分に配置された配線４０の一部分と袋の本体部分に配置された配線４０の一部分とが接触して、配線４０を含む回路がクローズとなるべく、配線４０は配置されていてよい。
【００１５】
閲覧防止カバー３０が有する閲覧防止カバー側処理ユニット３００は、配線４０を含む回路の抵抗値を監視する。そして、閲覧防止カバー側処理ユニット３００は、配線４０の抵抗値が閲覧防止カバー３０のふたを閉じたときにおける配線４０を含む回路の抵抗値よりも大きくなった場合に、閲覧防止カバー３０が開封されたと判断する。そして、この場合に、閲覧防止カバー側処理ユニット３００は、表示ユニット２０が閲覧防止カバー３０から取り出されたと判断してよい。例えば、ユーザが表示ユニット２０を閲覧防止カバー３０に挿入して閲覧防止カバー３０のふたを閉じると、配線４０はクローズとなる。続いてユーザが閲覧防止カバー３０のふたを開けると、配線４０はオープンとなる。
【００１６】
配線４０がオープンとなった場合には、配線４０の抵抗値は配線４０がクローズの場合に比べて大きい値を示す。したがって、閲覧防止カバー側処理ユニット３００は、配線４０の抵抗値を監視することにより、閲覧防止カバー３０の開封を検知して、表示ユニット２０が閲覧防止カバー３０から取り出されたと判断できる。また、表示ユニット２０は、光センサ２２０を有していてよい。光センサ２２０が予め定められた光量以上の光量を検出した場合に、閲覧防止カバー側処理ユニット３００は、閲覧防止カバー３０から表示ユニット２０が取り出されたと判断してもよい。
【００１７】
また、閲覧防止カバー３０は、表示ユニット２０に表示されている表示データの閲覧が許可されているユーザを識別する識別データをユーザに入力させる。識別データは、例えば、パスワードであってよい。閲覧防止カバー側処理ユニット３００は、識別データ入力部３２２を介して、パスワードをユーザに入力させる。識別データ入力部３２２は、例えば、テンキーを配した薄型の入力装置であり、閲覧防止カバー３０の表面に配置されていてよい。閲覧防止カバー側処理ユニット３００は、ユーザが識別データ入力部３２２に入力したパスワードを、閲覧防止カバー側処理ユニット３００が予め格納しているパスワードと照合する。そして、閲覧防止カバー側処理ユニット３００は、パスワードが一致した場合に、パスワードが一致した旨を示す認証情報を、表示ユニット２０が表示している表示データの閲覧を許可する情報である閲覧許可情報として取得する。
【００１８】
そして、閲覧防止カバー側処理ユニット３００は、閲覧許可情報を取得する前に、表示ユニット２０が閲覧防止カバー３０から取り出されたと判断した場合に、表示ユニット２０が表示している表示データを消去させる。例えば、ユーザによって識別データ入力部３２２に入力されたパスワードが、閲覧防止カバー側処理ユニット３００に予め格納されているパスワードと一致した場合には、閲覧防止カバー側処理ユニット３００はパスワードが一致した旨を示す認証情報を閲覧許可情報として取得する。閲覧防止カバー側処理ユニット３００が閲覧許可情報を取得した後に、表示ユニット２０が閲覧防止カバー３０から取り出された場合には、閲覧防止カバー側処理ユニット３００は、表示ユニット２０が表示している表示データを消去させない。
【００１９】
一方、ユーザによって識別データ入力部３２２に入力されたパスワードが、閲覧防止カバー側処理ユニット３００に予め格納されているパスワードと一致しなかった場合には、閲覧防止カバー側処理ユニット３００は、閲覧許可情報を取得しない。この場合において、表示ユニット２０が閲覧防止カバー３０から取り出されたときに、閲覧防止カバー側処理ユニット３００は、表示ユニット２０が表示している表示データを消去させる。また、ユーザがパスワードを入力せずに表示ユニット２０を閲覧防止カバー３０から取り出した場合においても、閲覧防止カバー側処理ユニット３００は、閲覧許可情報を取得しないので、閲覧防止カバー側処理ユニット３００は、表示ユニット２０が表示している表示データを消去させる。
【００２０】
本実施形態に係る閲覧管理システム１０によれば、表示ユニット２０の表示領域が閲覧防止カバー３０で覆われた状態において、閲覧防止カバー側処理ユニット３００が閲覧許可情報を取得する前に表示ユニット２０から閲覧防止カバー３０が取り外された場合に、表示ユニット２０が表示している表示データを自動的に消去させることができる。これにより、表示ユニット２０が表示している表示データを、当該表示データの閲覧が許可されており、予め定められた手順を知っているユーザだけに閲覧させることができるので、表示データの機密性を向上させることができる。
【００２１】
図２は、本実施形態に係る閲覧管理システム１０の機能構成の一例を示す。閲覧管理システム１０は、表示ユニット２０および閲覧防止カバー３０を備える。表示ユニット２０は、表示部側処理ユニット２００、表示部２１０、および光センサ２２０を有する。そして、表示部側処理ユニット２００は、表示データ消去部２０２、信号発信部２０４、および第１電力発生部２０６を含む。また、閲覧防止カバー３０は、閲覧防止カバー側処理ユニット３００、識別データ入力部３２２、および配線４０を有する。そして、閲覧防止カバー側処理ユニット３００は、取り外し検知部３０２、消去制御部３０４、第２電力発生部３０６、閲覧許可情報取得部３０８、信号受信部３１０、距離判断部３１２、距離算出部３１４、認証部３２０、および識別データ格納部３２４を含む。
【００２２】
まず、表示ユニット２０の機能構成の一例について説明する。表示部２１０は、電力が供給されていない状態で表示データを視認可能に表示する。なお、表示部２１０は、電子ペーパ、フレキシブルディスプレイ、リライタブルペーパ、ペーパライクディスプレイ、デジタルペーパ、エレクトロニックペーパ、電子シート、および電子表示シートのいずれかであってよい。光センサ２２０は、表示部２１０の近傍に配置されて照射される光量を検出する。光センサ２２０は、表示部２１０の４隅の近傍に配置されていてよい。また、複数の光センサ２２０が表示部２１０の近傍に配置されていてもよい。
【００２３】
さらに、光センサ２２０は、閲覧防止カバー３０の内側に、予め定められた間隔で配置されていてもよい。具体的には、閲覧防止カバー３０が袋形状の場合は、袋の内側に光センサ２２０は配置されていてよい。より具体的には、袋形状の閲覧防止カバー３０が開けられた場合に、光が照射される位置に光センサ２２０は配置されていてよい。例えば、袋の開口部の近傍に、光センサ２２０は配置されていてよい。また、閲覧防止カバー３０がシート形状の場合には、閲覧防止カバー３０の周囲に沿って、複数の光センサ２２０が配置されていてもよい。具体的には、表示部２１０と接する面に光センサ２２０が配置されていてもよい。例えば、表示部２１０を覆っている閲覧防止カバー３０がはがされた場合に、光が照射される位置に光センサ２２０は配置されていてよい。光センサ２２０は、検出した光量を取り外し検知部３０２に供給する。なお、光センサ２２０は、検出した光量を無線通信、または有線通信により取り外し検知部３０２に供給してよい。
【００２４】
信号発信部２０４は、表示部２１０の近傍に配置されている。そして、信号発信部２０４は、予め定められた識別信号を発信する。信号発信部２０４は、識別信号を予め定められた発信強度で発信してよい。また、信号発信部２０４は、光センサ２２０が予め定められた光量以上の光量を検出したときに、識別信号を発信してもよい。この場合においては、信号発信部２０４は、光センサ２２０が予め定められた光量以上の光量を検出したことを検知して識別信号を発信する。なお、信号発信部２０４は、表示部２１０の複数の辺、または複数の隅の近傍に配置されていてよい。また、複数の信号発信部２０４が、表示部２１０に配置されていてもよい。
【００２５】
表示データ消去部２０２は、消去制御部３０４に制御されて、表示部２１０が表示している表示データを消去する。例えば、表示部２１０の行ごとおよび列ごとの書き込みラインを同時に接続させて、全ての書き込みラインに同一の信号を供給することにより表示データを消去する。第１電力発生部２０６は、照射された光エネルギーを電力に変換する。そして、第１電力発生部２０６は、電力を表示データ消去部２０２に供給する。第１電力発生部２０６は、例えば、太陽電池であってよい。また、第１電力発生部２０６は、光が照射されていない場合に表示データ消去部２０２に電力を供給すべく、薄型バッテリを含んでいてもよい。薄型バッテリの厚さは、表示ユニット２０の厚さよりも薄い厚さであってよい。なお、第１電力発生部２０６は、請求項に記載の電力発生部の一例である。
【００２６】
次に、閲覧防止カバー３０の機能構成について説明する。閲覧防止カバー３０は、表示部２１０が表示している表示データの閲覧を防止すべく、表示部２１０を覆うカバーであってよい。具体的には、閲覧防止カバー３０は、表示部２１０を内包する封筒の形状、表示部２１０の表示領域を覆うバインダの形状、および表示部２１０の表示領域を覆うシート形状等のいずれかの形状を有していてよい。例えば、閲覧防止カバー３０は、表示部２１０を内包して表示部２１０が表示している表示データの閲覧を防止する袋形状を有していてよい。取り外し検知部３０２は、表示部２１０から閲覧防止カバー３０が取り外されたことを検知する。具体的には、まず、取り外し検知部３０２は、閲覧防止カバー３０の所定の位置に配置された配線４０が切断されたことを検知する。
【００２７】
例えば、配線４０は、閲覧防止カバー３０が袋形状の場合には、袋の入り口の部分に配置されていてよい。そして、配線４０は、取り外し検知部３０２に接続されている。取り外し検知部３０２は、配線４０の抵抗値を監視して、配線４０の抵抗値が所定の基準値以上の抵抗値を検出した場合に、配線４０が切断された、すなわち配線４０を含む回路がオープンになったことを検知してよい。そして、取り外し検知部３０２は、配線４０を含む回路がオープンになったことを検知することにより、表示部２１０から閲覧防止カバー３０が取り外されたことを検知してよい。
【００２８】
また、取り外し検知部３０２は、光センサ２２０から受け取った光量に基づいて、表示部２１０から閲覧防止カバー３０が取り外されたことを検知してもよい。具体的には、取り外し検知部３０２は、光センサ２２０から受け取った光量が、予め定められた光量以上である場合に、表示部２１０から閲覧防止カバー３０が取り外されたことを検知する。また、光センサ２２０が閲覧防止カバー３０の内側に配置されている場合には、取り外し検知部３０２は、閲覧防止カバー３０の内側に光が照射された場合に、表示部２１０から閲覧防止カバー３０が取り外されたことを検知する。
【００２９】
例えば、ユーザが、閲覧防止カバー３０の一部を切断して、切断した部分をめくって表示部２１０に表示されている表示データの閲覧を試みた場合には、めくられた部分の光センサ２２０は照射される光量を検知する。そして、取り外し検知部３０２は、光センサ２２０が予め定められた光量以上の光量を検出した場合に、表示部２１０から閲覧防止カバー３０が取り外されたことを検知する。さらに、取り外し検知部３０２は、配線４０に電流または所定の信号を伝播させてもよい。そして、取り外し検知部３０２は、配線４０から電流または所定の信号を取得できない場合に、表示部２１０から閲覧防止カバー３０が取り外されたことを検知してもよい。なお、この場合において、取り外し検知部３０２は、電流または所定の信号を完結的に配線４０に供給してよい。取り外し検知部３０２は、表示部２１０から閲覧防止カバー３０が取り外されたことを示す情報を消去制御部３０４に供給する。
【００３０】
識別データ格納部３２４は、表示部２１０が表示している表示データの閲覧が許可されているユーザを識別する識別データをユーザに対応づけて格納する。識別データ格納部３２４がユーザに対応づけて格納する識別データは、例えば、ユーザを一意に識別するユーザ識別子、ユーザごとに予め定められたパスワード、およびユーザの生体情報であってよい。なお、生体情報は、ユーザの声紋データ、ユーザの指紋データ、ユーザの虹彩データ、およびユーザの指の静脈パターンを示す情報等であってよい。識別データ格納部３２４は、認証部３２０の制御に基づいて、ユーザに対応づけて格納している識別データを認証部３２０に供給する。
【００３１】
識別データ入力部３２２は、ユーザに識別データを入力させる。識別データがパスワード等の文字列情報である場合には、識別データ入力部３２２は、テンキー等の入力装置であってよい。また、識別データが生体情報である場合には、識別データ入力部３２２は、指紋入力装置、音声入力装置、および静脈パターン識別装置等であってよい。識別データ入力部３２２は、ユーザが入力した識別データを認証部３２０に供給する。認証部３２０は、識別データ入力部３２２から受け取った識別データを、識別データ格納部３２４にユーザに対応づけて格納されている識別データと照合する。そして、認証部３２０は、識別データ入力部３２２から受け取った識別データが、識別データ格納部３２４にユーザに対応づけて格納されている識別データと同一の場合に認証情報を閲覧許可情報取得部３０８に出力する。
【００３２】
信号受信部３１０は、閲覧防止カバー３０に配置され、信号発信部２０４が発信した識別信号を受信する。信号受信部３１０は、識別信号を受信したときの識別信号の受信強度を距離算出部３１４に供給する。距離算出部３１４は、信号受信部３１０から受け取った識別信号の受信強度を用いて、閲覧防止カバー３０から表示部２１０までの距離を算出する。距離算出部３１４は、算出した閲覧防止カバー３０から表示部２１０までの距離を、距離判断部３１２に供給する。距離判断部３１２は、距離算出部３１４から受け取った距離が、予め定められた距離以下の場合に、距離情報を閲覧許可情報取得部３０８に出力する。
【００３３】
また、閲覧防止カバー３０は、時刻を取得する時刻取得部と、時刻取得部において取得された時刻が、閲覧防止カバー３０を表示部２１０から取り外すことが許可されている期間内であるか否かを判断する期間判断部とをさらに備えてもよい。具体的には、時刻取得部は、時刻を示す情報を含む標準電波を受信して、時刻を取得する。時刻取得部は、取得した時刻を期間判断部に供給する。期間判断部は、時刻取得部において取得された時刻が、閲覧防止カバー３０を表示部２１０から取り外すことが許可されている予め定められた期間内に含まれているか否かを判断する。そして、期間判断部は、時刻取得部において取得された時刻が予め定められた期間内に含まれると判断した場合に、時刻情報を閲覧許可情報取得部３０８に出力する。
【００３４】
閲覧許可情報取得部３０８は、表示部２１０が表示している表示データの閲覧を許可する情報である閲覧許可情報を取得する。例えば、閲覧許可情報取得部３０８は、認証部３２０から認証情報を閲覧許可情報として取得する。また、閲覧許可情報取得部３０８は、距離判断部３１２から距離情報を閲覧許可情報として取得してもよい。さらに、閲覧許可情報取得部３０８は、期間判断部から時刻情報を閲覧許可情報として取得してもよい。なお、閲覧許可情報取得部３０８は、認証情報、距離情報、および時刻情報のうちの１つ、または、認証情報、距離情報、および時刻情報のうちの少なくとも２つの組み合わせを閲覧許可情報として取得してもよい。閲覧許可情報取得部３０８は、閲覧許可情報を取得した旨を、閲覧許可情報を取得した日時に対応づけて消去制御部３０４に供給する。
【００３５】
消去制御部３０４は、閲覧許可情報取得部３０８から閲覧許可情報を受け取る前に、取り外し検知部３０２から、表示部２１０から閲覧防止カバー３０が取り外されたことを示す情報を受け取った場合に、表示部２１０が表示している表示データを消去させる。具体的には、消去制御部３０４は、表示データ消去部２０２に働きかけて、表示部２１０が表示している表示データを消去させる。例えば、消去制御部３０４は、閲覧許可情報取得部３０８から閲覧許可情報を受け取る前に、配線４０が切断された場合に、表示データ消去部２０２に表示部２１０が表示している表示データを消去させる。
【００３６】
また、消去制御部３０４は、閲覧許可情報取得部３０８から認証情報を取得する前に取り外し検知部３０２から、表示部２１０から閲覧防止カバー３０が取り外されたことを示す情報を受け取った場合に、表示部２１０が表示している表示データを消去させてもよい。また、消去制御部３０４は、閲覧許可情報取得部３０８から距離情報を取得する前に取り外し検知部３０２から、表示部２１０から閲覧防止カバー３０が取り外されたことを示す情報を受け取った場合に、表示部２１０が表示している表示データを消去させてもよい。さらに、消去制御部３０４は、閲覧許可情報取得部３０８から時刻情報を取得する前に取り外し検知部３０２から、表示部２１０から閲覧防止カバー３０が取り外されたことを示す情報を受け取った場合に、表示部２１０が表示している表示データを消去させてもよい。
【００３７】
第２電力発生部３０６は、消去制御部３０４が表示データ消去部２０２を制御して表示部２１０に表示されている表示データを消去させるときに要する電力を発生する。具体的には、第２電力発生部３０６は、照射された光エネルギーを電力に変換する。例えば、第２電力発生部３０６は太陽電池であってよい。そして、消去制御部３０４は、第２電力発生部３０６が光エネルギーから変換した電力を用いて、表示データ消去部２０２を制御する。なお、第２電力発生部３０６は、請求項に記載の電力発生部の一例である。
【００３８】
本実施形態に係る閲覧管理システム１０によれば、表示部２１０に表示されている表示データの閲覧を許可する情報、例えばパスワードを取得する前に表示部２１０に覆われている閲覧防止カバー３０が取り外されたことを検知した場合に、自動的に表示部２１０に表示されている表示データを消去することができる。これにより、例えば、表示データの閲覧を許可されているユーザだけが、表示部２１０に表示されている表示データを閲覧できるので、表示データの機密性を高めることができる。
【００３９】
また、本実施形態に係る閲覧管理システム１０によれば、表示ユニット２０が閲覧防止カバー３０から予め定められた距離だけ離れた場合に、表示ユニット２０が表示している表示データを自動的に消去できる。したがって、閲覧防止カバー３０を所定の位置に固定しておくことにより、閲覧防止カバー３０から表示ユニット２０を取り出して、閲覧防止カバー３０から予め定められた距離だけ離れた場所に持ち出すことを防止できる。
【００４０】
図３は、本発明の他の実施形態に係る配線４２の配置の一例を示す。配線４２は、閲覧防止カバー３０の周囲に沿って配置されていてもよい。なお、閲覧防止カバー３０の形状は袋形状であってよい。具体的には、配線４２は、閲覧防止カバー３０の複数の辺の近傍に沿って配置されている。例えば、配線４２は、閲覧防止カバー３０の４つの辺の近傍に沿って配置されていてよい。また、配線４２は、閲覧防止カバー３０の４つの辺のうち、少なくとも１つの辺の近傍に沿って配置されていてもよい。そして、配線４２は、袋が開けられた場合に切断される可能性が高い位置に配置されることが好ましい。
【００４１】
また、表示ユニット２０を閲覧防止カバー３０に入れて、閲覧防止カバー３０のふたを閉めたときに配線４２を含む回路がクローズとなるべく、配線４２は配置されていてよい。例えば、閲覧防止カバー３０のふたの部分と閲覧防止カバー３０の本体の部分とのそれぞれに、配線４２の一部分がそれぞれ配置されていてよい。そして、閲覧防止カバー３０のふたを閉めたときに、ふたの部分の配線４２の一部分と本体の部分の配線４２の一部分とが接触して、配線４２を含む回路がクローズとなるべく、配線４２は配置されていてよい。
【００４２】
そして、閲覧防止カバー側処理ユニット３００が有する取り外し検知部３０２は、配線４２を含む回路の抵抗値を監視する。配線４２を含む回路の抵抗値が予め定められた値以上となった場合に、取り外し検知部３０２は、表示部２１０から閲覧防止カバー３０が取り外されたことを検知する。例えば、ユーザが、閲覧防止カバー側処理ユニット３００にパスワード等の識別データを入力しない場合には、閲覧防止カバー側処理ユニット３００は閲覧許可情報を取得しない。係る場合において、ユーザが閲覧防止カバー３０の一部を切断して表示ユニット２０を閲覧防止カバー３０から取り出すと、配線４２の一部も切断される。そして、配線４２を含む回路の抵抗値が予め定められた値以上である場合に、閲覧防止カバー側処理ユニット３００は、表示部側処理ユニット２００に働きかけて表示ユニット２０に表示されている表示データを消去させる。
【００４３】
ここで、配線４２は、閲覧防止カバー３０が切断される場合（例えば、破る場合）における、閲覧防止カバー３０の材質が示す強度以下であることが好ましい。すなわち、閲覧防止カバー３０の一部を切断した場合に、配線４２も切断されるように、配線４２の強度を設定してよい。例えば、閲覧防止カバー３０が紙製である場合には、配線４２の強度は、閲覧防止カバー３０を切断した場合に配線４２も切断される強度であってよい。また、配線４２の強度を、ユーザが閲覧防止カバー３０を切断するときに閲覧防止カバー３０に配線４２が配置されていることをユーザが認識できない強度に設定してもよい。
【００４４】
本実施形態に係る配線４２の配置によれば、ユーザがパスワード等の認証データを閲覧防止カバー３０に入力せずに閲覧防止カバー３０を切断して表示ユニット２０を取り出した場合に、表示ユニット２０が表示している表示データを自動的に消去できる。これにより、表示ユニット２０が表示している表示データが、不正な手段で閲覧されることを防止できる。
【００４５】
図４は、本発明の他の実施形態に係る配線４４の配置の一例を示す。なお、閲覧防止カバー３０の形状は袋形状であってよい。配線４４は、表示ユニット２０の端と閲覧防止カバー側処理ユニット３００とを接続する配線４４であってよい。具体的には、配線４４の表示ユニット２０側の末端はクリップ形状を有しており、表示ユニット２０を閲覧防止カバー３０に挿入したときに、配線４４の末端のクリップが表示ユニット２０を挟み込む。そして、クリップは、表示ユニット２０が挿入されることにより配線４４を含む回路をクローズにする機械接点を有していてよい。
【００４６】
なお、配線４４と接続された複数のクリップが表示ユニット２０を挟み込んでもよい。例えば、表示ユニット２０の複数の隅のそれぞれが、複数のクリップのそれぞれによって挟み込まれてもよい。また、クリップが表示ユニット２０を挟む強度は、閲覧防止カバー３０から表示ユニット２０を引き出すときにユーザが表示ユニット２０に加える力によって、配線４４に接続されたクリップが閲覧防止カバー３０から外れる強度で保持することが好ましい。また、クリップは、表示ユニット２０が挿入されることにより配線４４を含む回路がオープンになる機械接点であってもよい。
【００４７】
そして、閲覧防止カバー側処理ユニット３００が有する取り外し検知部３０２は、配線４４を含む回路の抵抗値を監視する。配線４４を含む回路の抵抗値が予め定められた値以上となった場合に、取り外し検知部３０２は、表示部２１０から閲覧防止カバー３０が取り外されたことを検知する。例えば、ユーザが、閲覧防止カバー側処理ユニット３００にパスワード等の識別データを入力しない場合には、閲覧防止カバー側処理ユニット３００は閲覧許可情報を取得しない。係る場合において、閲覧防止カバー３０から表示ユニット２０を引き抜いた場合には、配線４４はオープンとなる。
【００４８】
そして、配線４４を含む回路の抵抗値が予め定められた値以上となった場合に、閲覧防止カバー側処理ユニット３００は、表示部側処理ユニット２００に働きかけて表示ユニット２０に表示されている表示データを消去させる。なお、閲覧防止カバー側処理ユニット３００は、表示部側処理ユニット２００に、無線通信により消去命令を送信してもよい。そして、表示部側処理ユニット２００は、閲覧防止カバー側処理ユニット３００から消去命令を受信した場合に、表示ユニット２０に表示されている表示データを消去してよい。
【００４９】
また、クリップが、表示ユニット２０が挿入されることにより配線４４を含む回路がオープンになる機械接点を有している場合を考える。係る場合には、取り外し検知部３０２は、配線４４を含む回路の抵抗値が予め定められた値以下となった場合に、表示部２１０から閲覧防止カバー３０が取り外されたことを検知してよい。そして、配線４４を含む回路の抵抗値が予め定められた値以下となった場合に、閲覧防止カバー側処理ユニット３００は、表示部側処理ユニット２００に働きかけて表示ユニット２０に表示されている表示データを消去させてもよい。
【００５０】
図５は、本発明の他の実施形態に係る閲覧防止カバー３２の一例を示す。閲覧防止カバー３２は、図１から図４の上記説明における閲覧防止カバー３０、配線４２、および配線４４の機能、および構成の一部、または全部を有していてよい。ここで、閲覧防止カバー３２は、表示ユニット２０が表示している表示データの閲覧を防止すべく表示ユニット２０を覆うバインダ形状であってよい。閲覧防止カバー３２は、表示ユニット２０を挟み込むことにより、表示ユニット２０が表示している表示データの閲覧を防止する。なお、閲覧防止カバー３２は止め具を有していてよい。そして、止め具に配線４０が配置されていてよい。例えば、表示ユニット２０を挟み込んで閲覧防止カバー３２の止め具を止めたときに、配線４０がクローズとなるべく位置に、配線４０を配置していてよい。
【００５１】
まず、表示ユニット２０を閲覧防止カバー３２に挟み込んで、閲覧防止カバー３２を閉じると、閲覧防止カバー３２に配置されている配線４０がクローズとなる。閲覧防止カバー側処理ユニット３００は、配線４０を含む回路の抵抗値を監視して、閲覧防止カバー３２から表示ユニット２０が取り外されたことを検知する。そして、ユーザが識別データ入力部３２２にパスワード等の識別データを入力せずに閲覧防止カバー３２を開けて表示ユニット２０を取り出した場合には、閲覧防止カバー側処理ユニット３００は、表示ユニット２０が表示している表示データを消去させる。
【００５２】
図６は、本発明の他の実施形態に係る閲覧防止カバー３４の一例を示す。閲覧防止カバー３２は、図１から図４の上記説明における閲覧防止カバー３０、配線４２、および配線４４の機能、および構成の一部、または全部を有していてよい。ここで、閲覧防止カバー３４は、表示ユニット２０が表示している表示データの閲覧を防止すべく表示ユニット２０の表示領域を覆うシート形状であってよい。閲覧防止カバー３４は、表示ユニット２０の表示領域を覆うことにより、表示ユニット２０が表示している表示データの閲覧を防止する。また、表示ユニット２０の所定の位置に光センサ２２０が配置されていてよい。例えば、光センサ２２０は、表示ユニット２０が閲覧防止カバー３４によって覆われた場合に、閲覧防止カバー３４によって覆われる位置に配置されていてよい。
【００５３】
まず、表示ユニット２０の表示領域に閲覧防止カバー３４を覆いかぶせると、表示ユニット２０に配置されている光センサ２２０も覆われる。閲覧防止カバー側処理ユニット３００は、光センサ２２０から光量を受け取って、表示ユニット２０から閲覧防止カバー３０が取り外されたことを検知する。例えば、ユーザが識別データ入力部３２２にパスワード等の識別データを入力せずに閲覧防止カバー３４を取り外すと、光センサ２２０に光が照射される。そして、光センサ２２０が検出した光量が予め定められた光量以上である場合に、閲覧防止カバー側処理ユニット３００は、表示ユニット２０が表示している表示データを消去させる。
【００５４】
図７は、本実施形態に係る閲覧管理システム１０のハードウェア構成の一例を示す。本実施形態に係る閲覧管理システム１０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００５５】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００５６】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、閲覧管理システム１０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００５７】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、閲覧管理システム１０が起動時に実行するブート・プログラム、閲覧管理システム１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００５８】
ＲＡＭ１５２０を介してハードディスクドライブ１５４０に提供される閲覧管理プログラムは、フレキシブルディスク１５９０、ＣＤ−ＲＯＭ１５９５、またはＩＣカード等の記録媒体に格納されて利用者によって提供される。閲覧管理プログラムは、記録媒体から読み出され、ＲＡＭ１５２０を介して閲覧管理システム１０内のハードディスクドライブ１５４０にインストールされ、ＣＰＵ１５０５において実行される。閲覧管理システム１０にインストールされて実行される閲覧管理プログラムは、ＣＰＵ１５０５等に働きかけて、閲覧管理システム１０を、図１から図６にかけて説明した表示データ消去部２０２、信号発信部２０４、第１電力発生部２０６、表示部２１０、光センサ２２０、取り外し検知部３０２、消去制御部３０４、第２電力発生部３０６、閲覧許可情報取得部３０８、信号受信部３１０、距離判断部３１２、距離算出部３１４、認証部３２０、識別データ入力部３２２、および識別データ格納部３２４として機能させる。
【００５９】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００６０】
【図１】閲覧管理システム１０の概要図である。
【図２】閲覧管理システム１０の機能構成を示すブロック図である。
【図３】配線４２の配置を示す図である。
【図４】配線４４の配置を示す図である。
【図５】閲覧防止カバー３２を示す図である。
【図６】閲覧防止カバー３４を示す図である。
【図７】閲覧管理システム１０のハードウェア構成を示すブロック図である。
【符号の説明】
【００６１】
１０  閲覧管理システム
２０  表示ユニット
３０、３２、３４  閲覧防止カバー
４０、４２、４４  配線
２００  表示部側処理ユニット
２０２  表示データ消去部
２０４  信号発信部
２０６  第１電力発生部
２１０  表示部
２２０  光センサ
３００  閲覧防止カバー側処理ユニット
３０２  取り外し検知部
３０４  消去制御部
３０６  第２電力発生部
３０８  閲覧許可情報取得部
３１０  信号受信部
３１２  距離判断部
３１４  距離算出部
３２０  認証部
３２２  識別データ入力部
３２４  識別データ格納部
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2007316342.tif 000003
【図２】
2007316342.tif 000004
【図３】
2007316342.tif 000005
【図４】
2007316342.tif 000006
【図５】
2007316342.tif 000007
【図６】
2007316342.tif 000008
【図７】
2007316342.tif 000009